【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
情報処理装置であり、
情報記録媒体に記録された記録コンテンツの検証処理を実行するコンテンツ検証手段と、
前記検証処理に基づいて記録コンテンツの正当性が確認されたことを条件としてコンテンツ再生処理を実行するコンテンツ再生手段とを有し、
前記コンテンツ検証手段は、
正当な記録コンテンツデータに基づいて生成されたハッシュ値を登録したコンテンツハッシュテーブルを情報記録媒体から取得し、該コンテンツハッシュテーブルにハッシュ値の登録されていない不正記録コンテンツの有無を検証する処理を実行する構成を有することを特徴とする情報処理装置。
【請求項２】
前記コンテンツハッシュテーブルは、
予め設定されたデータ量を持つハッシュユニットごとのハッシュ値と、各コンテンツデータファイルに対応するハッシュユニット数を登録を格納した構成を有し、
前記コンテンツ検証手段は、
情報記録媒体のコンテンツデータファイルのファイルサイズと、前記コンテンツハッシュテーブルに登録されたコンテンツデータファイルに対応するハッシュユニット数との整合性を検証して、ハッシュ値の登録されていない記録コンテンツの有無を検証する構成であることを特徴とする請求項１に記載の情報処理装置。
【請求項３】
前記コンテンツデータファイルは、
コンテンツを含むデータファイルとして設定されるクリップファイルであり、
前記コンテンツ検証手段は、
情報記録媒体に記録されたクリップファイルのファイルサイズと、前記コンテンツハッシュテーブルに登録されたクリップファイルに対応するハッシュユニット数との整合性を検証して、ハッシュ値の登録されていない記録コンテンツの有無を検証する構成であることを特徴とする請求項２に記載の情報処理装置。
【請求項４】
前記コンテンツ検証手段は、
情報記録媒体に記録されたファイルシステム情報から、情報記録媒体に記録されたコンテンツデータファイルのファイルサイズを取得する構成であることを特徴とする請求項２に記載の情報処理装置。
【請求項５】
前記コンテンツ検証手段は、さらに、
前記ハッシュユニットをｎ個選択（ただしｎは１以上整数）し、選択ハッシュユニットに基づく算出ハッシュ値と、前記コンテンツハッシュテーブルに格納されたハッシュ値との照合処理を実行し、選択したｎ個全てのハッシュ値の照合成立をコンテンツの正当性の確認条件としたコンテンツ検証処理を実行する構成であることを特徴とする請求項１に記載の情報処理装置。
【請求項６】
情報処理装置であり、
情報記録媒体に記録された記録コンテンツの検証処理を実行するコンテンツ検証手段と、
前記検証処理に基づいて記録コンテンツの正当性が確認されたことを条件としてコンテンツ再生処理を実行するコンテンツ再生手段とを有し、
前記コンテンツ検証手段は、
情報記録媒体に記録されたファイルシステム情報の改ざん検証処理をコンテンツ検証処理として実行する構成であることを特徴とする情報処理装置。
【請求項７】
前記コンテンツ検証手段は、
前記ファイルシステム情報に基づいて生成された照合用ハッシュ値を格納し電子署名の付与された証明書データを情報記録媒体から取得し、該証明書データの署名検証の後、前記照合用ハッシュ値を取得して、情報記録媒体から読み出したファイルシステム情報に基づいて算出したハッシュ値との照合処理を実行する構成であることを特徴とする請求項６に記載の情報処理装置。
【請求項８】
前記照合用ハッシュ値を格納した証明書は、正当な記録コンテンツデータに基づいて生成されたハッシュ値を登録したコンテンツハッシュテーブルに対応する検証用データを格納したコンテンツ証明書であり、
前記コンテンツ検証手段は、
前記コンテンツ証明書の署名検証に基づいて、コンテンツ証明書の正当性を確認し、正当性の確認されたコンテンツ証明書から前記照合用ハッシュ値の取得処理を行う構成であることを特徴とする請求項７に記載の情報処理装置。
【請求項９】
前記コンテンツ検証手段は、さらに、
前記ハッシュユニットをｎ個選択（ただしｎは１以上整数）し、選択ハッシュユニットに基づく算出ハッシュ値と、前記コンテンツハッシュテーブルに格納されたハッシュ値との照合処理を実行し、選択したｎ個全てのハッシュ値の照合成立をコンテンツの正当性の確認条件としたコンテンツ検証処理を実行する構成であることを特徴とする請求項６に記載の情報処理装置。
【請求項１０】
情報記録媒体であり、
情報記録媒体の記録コンテンツに対応するファイルシステム情報と、
前記ファイルシステム情報に基づくハッシュ値と、
を記録情報として有することを特徴とする情報記録媒体。
【請求項１１】
前記ハッシュ値は、
情報記録媒体の記録コンテンツデータに基づいて生成されたハッシュ値を登録したコンテンツハッシュテーブルに対応する検証用データを格納したコンテンツ証明書に格納された構成であることを特徴とする請求項１０に記載の情報記録媒体。
【請求項１２】
情報記録媒体製造装置であり、
情報記録媒体の記録コンテンツに対応するファイルシステム情報を生成するファイルシステム情報生成手段と、
前記ファイルシステム情報のハッシュ値を算出するハッシュ値算出手段と、
前記ファイルシステム情報、およびハッシュ値を情報記録媒体に記録する記録手段と、
を有することを特徴とする情報記録媒体製造装置。
【請求項１３】
前記情報記録媒体製造装置は、さらに、
情報記録媒体の記録コンテンツデータに基づいて生成されたハッシュ値を登録したコンテンツハッシュテーブルを生成するコンテンツハッシュテーブル生成手段と、
前記コンテンツハッシュテーブルの検証用データと、前記ファイルシステム情報のハッシュ値を登録情報としたコンテンツ証明書を生成するコンテンツ証明書生成手段とを有し、
前記記録手段は、
コンテンツハッシュテーブル、および前記コンテンツ証明書を情報記録媒体に記録する構成であることを特徴とする請求項１２に記載の情報記録媒体製造装置。
【請求項１４】
情報処理方法であり、
情報記録媒体に記録された記録コンテンツの検証処理を実行するコンテンツ検証ステップと、
前記検証処理に基づいて記録コンテンツの正当性が確認されたことを条件としてコンテンツ再生処理を実行するコンテンツ再生ステップとを有し、
前記コンテンツ検証ステップは、
正当な記録コンテンツデータに基づいて生成されたハッシュ値を登録したコンテンツハッシュテーブルを情報記録媒体から取得し、該コンテンツハッシュテーブルにハッシュ値の登録されていない不正記録コンテンツの有無を検証する処理を実行するステップであることを特徴とする情報処理方法。
【請求項１５】
前記コンテンツハッシュテーブルは、
予め設定されたデータ量を持つハッシュユニットごとのハッシュ値と、各コンテンツデータファイルに対応するハッシュユニット数を登録を格納した構成を有し、
前記コンテンツ検証ステップは、
情報記録媒体のコンテンツデータファイルのファイルサイズと、前記コンテンツハッシュテーブルに登録されたコンテンツデータファイルに対応するハッシュユニット数との整合性を検証して、ハッシュ値の登録されていない記録コンテンツの有無を検証するステップであることを特徴とする請求項１４に記載の情報処理方法。
【請求項１６】
前記コンテンツデータファイルは、
コンテンツを含むデータファイルとして設定されるクリップファイルであり、
前記コンテンツ検証ステップは、
情報記録媒体に記録されたクリップファイルのファイルサイズと、前記コンテンツハッシュテーブルに登録されたクリップファイルに対応するハッシュユニット数との整合性を検証して、ハッシュ値の登録されていない記録コンテンツの有無を検証するステップであることを特徴とする請求項１５に記載の情報処理方法。
【請求項１７】
情報処理方法であり、
情報記録媒体に記録された記録コンテンツの検証処理を実行するコンテンツ検証ステップと、
前記検証処理に基づいて記録コンテンツの正当性が確認されたことを条件としてコンテンツ再生処理を実行するコンテンツ再生ステップとを有し、
前記コンテンツ検証ステップは、
情報記録媒体に記録されたファイルシステム情報の改ざん検証処理をコンテンツ検証処理として実行することを特徴とする情報処理方法。
【請求項１８】
情報記録媒体製造方法であり、
情報記録媒体の記録コンテンツに対応するファイルシステム情報を生成するファイルシステム情報生成ステップと、
前記ファイルシステム情報のハッシュ値を算出するハッシュ値算出ステップと、
前記ファイルシステム情報、およびハッシュ値を情報記録媒体に記録する記録ステップと、
を有することを特徴とする情報記録媒体製造方法。
【請求項１９】
情報記録媒体に記録された記録コンテンツの検証処理を情報処理装置において実行させるコンピュータ・プログラムであり、
情報記録媒体に記録された記録コンテンツの検証処理を実行するコンテンツ検証ステップと、
前記検証処理に基づいて記録コンテンツの正当性が確認されたことを条件としてコンテンツ再生処理を実行するコンテンツ再生ステップとを有し、
前記コンテンツ検証ステップは、
正当な記録コンテンツデータに基づいて生成されたハッシュ値を登録したコンテンツハッシュテーブルを情報記録媒体から取得し、該コンテンツハッシュテーブルにハッシュ値の登録されていない不正記録コンテンツの有無を検証する処理を実行するステップであることを特徴とするコンピュータ・プログラム。
【請求項２０】
情報記録媒体に記録された記録コンテンツの検証処理を情報処理装置において実行させるコンピュータ・プログラムであり、
情報記録媒体に記録された記録コンテンツの検証処理を実行するコンテンツ検証ステップと、
前記検証処理に基づいて記録コンテンツの正当性が確認されたことを条件としてコンテンツ再生処理を実行するコンテンツ再生ステップとを有し、
前記コンテンツ検証ステップは、
情報記録媒体に記録されたファイルシステム情報の改ざん検証処理をコンテンツ検証処理として実行することを特徴とするコンピュータ・プログラム。
【手続補正２】
【補正対象書類名】明細書
【補正対象項目名】００３２
【補正方法】削除
【補正の内容】
【手続補正３】
【補正対象書類名】明細書
【補正対象項目名】００３３
【補正方法】削除
【補正の内容】
【手続補正４】
【補正対象書類名】明細書
【補正対象項目名】００３５
【補正方法】削除
【補正の内容】
【手続補正５】
【補正対象書類名】明細書
【補正対象項目名】００３６
【補正方法】削除
【補正の内容】
【手続補正６】
【補正対象書類名】明細書
【補正対象項目名】００３７
【補正方法】削除
【補正の内容】
【手続補正７】
【補正対象書類名】明細書
【補正対象項目名】００３９
【補正方法】削除
【補正の内容】